(57)【要約】【課題】片手で複数の包装体（或いは包装体と買い物袋）を同時に持ち運ぶ際にも把手が持ち易く、その運搬が容易であって、被包装体が箱体である場合でも手足に痛みや不快感を生ずることが少ない包装体を提供する。【解決手段】樹脂フィルム４により、複数の被包装体２が一体的に包装された包装体１であって、その上面６側に、運搬用の把手８又は把手８を形成し得る把手形成体を備え、把手８又は把手形成体が、包装体１の上面６における一の端縁Ｌに沿って配置されている包装体１。【選択図】図１
0003124811.tif 000002
【実用新案登録請求の範囲】
【請求項１】
樹脂フィルムにより、複数の被包装体が一体的に包装された包装体であって、
その上面側に、運搬用の把手又は前記把手を形成し得る把手形成体を備え、
前記把手又は前記把手形成体が、包装体の上面における一の端縁に沿って配置されている包装体。
【請求項２】
その上面が略長方形状に形成され、その長辺に接するように、前記把手又は前記把手形成体が配置されている請求項１に記載の包装体。
【請求項３】
樹脂フィルムにより、複数の被包装体が一体的に包装された包装体であって、
その上面に、運搬用の把手又は前記把手を形成し得る把手形成体を備え、
前記把手又は前記把手形成体が、包装体の上面における一の隅部を通過するように配置されている包装体。
【請求項４】
その上面が略長方形状に形成され、その対角線に沿って、前記把手又は前記把手形成体が配置されている請求項３に記載の包装体。
【考案の詳細な説明】
【技術分野】
【０００１】
本考案は、樹脂フィルムにより、複数の被包装体が一体的に包装された包装体に関するものである。より具体的には、運搬用の把手又はそのような把手を形成し得る把手形成体を備えた包装体に関するものである。
【背景技術】
【０００２】
一般に、ロール状薄葉紙（トイレットペーパー、キッチンペーパー、タオルペーパー、クッキングシート等）、カートン入り薄葉紙（ティシュペーパー等）、生理用ナプキン、使い捨ておむつ等の使い捨て紙製品は、複数のロール、カートン等が一体的に包装された状態で市販されている。
【０００３】
このような複数の被包装体（使い捨て紙製品等）が一体的に包装された包装体としては、購入者の持ち運びの便宜のために、運搬用の把手を備えたものが知られている。このような包装体は、把手を手で掴んで持ち運ぶことが可能であるため、比較的嵩高く、重量もある使い捨て紙製品であってもその運搬が容易になるという利点がある。
【０００４】
例えば、図２に示す包装体１００は、カートン入りティシュペーパー（ティシュカートン）を被包装体とした場合の例であり、５個の被包装体２が鉛直方向に積重された状態で、樹脂フィルム４により一体的に包装され、その上面６に帯状の把手８を備えたものである（例えば、特許文献１〜４参照）。また、図３に示す包装体１１０は、ロール状薄葉紙や使い捨ておむつ等の包装に利用される包装体の例であり、樹脂フィルム４からなるガセットチューブ１０の上端縁１２側に形成されたフラップ部１４を把手８としたものである。この包装体１１０は、フラップ部１４に予め手指を差し込むための開口部１６を形成しておくことによって、フラップ部１４を把手８としたものである（例えば、特許文献５及び６参照）。
【０００５】
【特許文献１】特許第３６９５７８６号公報
【特許文献２】特開２００２−３４７８６号公報
【特許文献３】特開２００４−１８０２号公報
【特許文献４】特開２００３−３４１７２４号公報
【特許文献５】特開平１１−９１７９７号公報
【特許文献６】実開平６−５７８７３号公報
【考案の開示】
【考案が解決しようとする課題】
【０００６】
ところで、上記のような使い捨て紙製品は、スーパーやドラッグストアでまとめ買いをすることも多いため、複数の包装体、或いは包装体と買い物袋を片手で持ち運ばなければならない場合も生じ得る。また、主婦が子供を連れて買い物をする場合等には、一方の手で子供の手を引いたり、抱きかかえたりするため、やはり片手で複数の包装体（或いは包装体と買い物袋）を同時に持ち運ぶ必要が生ずる。
【０００７】
このように、片手で複数の包装体（或いは包装体と買い物袋）を同時に持ち運ぶ際に、従来の包装体は把手を持ちづらいことに起因して、その運搬が容易ではないという課題があった。また、被包装体がティシュカートンのような箱体であると、その箱体の角が手や足に当たってしまい、手足に痛みや不快感を生ずるという課題もあった。従って、片手で複数の包装体（或いは包装体と買い物袋）を同時に持ち運ぶ際にも把手が持ち易く、その運搬が容易であって、被包装体が箱体である場合でも手足に痛みや不快感を生ずることが少ない包装体が切望されている。
【０００８】
本考案は、このような従来技術の課題を解決するためになされたものであって、片手で複数の包装体（或いは包装体と買い物袋）を同時に持ち運ぶ際にも把手が持ち易く、その運搬が容易であって、被包装体が箱体である場合でも手足に痛みや不快感を生ずることが少ない包装体を提供するものである。
【課題を解決するための手段】
【０００９】
本考案者は、前記のような従来技術の課題を解決するために鋭意検討した結果、従来、包装体上面の中央部に配置されていた把手を、包装体上面の端縁側にずらすこと等によって、上記課題が解決されることに想到し、本考案を完成させた。具体的には、本考案により、以下の包装体が提供される。
【００１０】
［１］  樹脂フィルムにより、複数の被包装体が一体的に包装された包装体であって、その上面側に、運搬用の把手又は前記把手を形成し得る把手形成体を備え、前記把手又は前記把手形成体が、包装体の上面における一の端縁に沿って配置されている包装体。
【００１１】
［２］  その上面が略長方形状に形成され、その長辺に接するように、前記把手又は前記把手形成体が配置されている前記［１］に記載の包装体。
【００１２】
［３］  樹脂フィルムにより、複数の被包装体が一体的に包装された包装体であって、その上面に、運搬用の把手又は前記把手を形成し得る把手形成体を備え、前記把手又は前記把手形成体が、包装体の上面における一の隅部を通過するように配置されている包装体。
【００１３】
［４］  その上面が略長方形状に形成され、その対角線に沿って、前記把手又は前記把手形成体が配置されている前記［３］に記載の包装体。
【考案の効果】
【００１４】
本考案の包装体は、片手で複数の包装体（或いは包装体と買い物袋）を同時に持ち運ぶ際にも把手が持ち易く、その運搬が容易である。また、被包装体が箱体である場合でも手足に痛みや不快感を生ずることが少ない。
【考案を実施するための最良の形態】
【００１５】
以下、本考案の包装体を実施するための最良の形態について、図面を参照しながら具体的に説明する。但し、本考案はその考案特定事項を備える包装体を広く包含するものであり、以下の実施形態に限定されるものではない。
【００１６】
［１］本考案の第１の実施形態（第１の包装体）：
本考案の第１の実施形態（第１の包装体）は、樹脂フィルムにより、複数の被包装体が一体的に包装された包装体であり、その上面側に、運搬用の把手又は前記把手を形成し得る把手形成体を備え、前記把手又は前記把手形成体が、包装体の上面における一の端縁に沿って配置されている包装体である。
【００１７】
例えば、図１に示す包装体１は、カートン入りティシュペーパー（ティシュカートン）を被包装体とした場合の例であり、樹脂フィルム４により、鉛直方向に積重された５個の被包装体２が一体的に包装され、その上面６に運搬用の把手８を備えている。そして、その把手８は、包装体１の上面６における一の端縁Ｌに沿って形成されている。
【００１８】
従来の包装体は、図２に示す包装体１００のように、上面６の中央部に把手８を配置することが一般的であったが、このような包装体は片手で複数の包装体の把手を同時に掴むことが困難であった。このような包装体を、上面の長辺同士が接するように二個並列し、二つの把手を同時に掴もうとすると、一の包装体の把手と他の包装体の把手との間隔が広いために、力が入り難く把手を持ちづらい。勿論、強い力で二つの把手を掴めば持ち運び自体は可能であるものの、手指に痛みや不快感を生じることになる。また、二つの包装体の把手を引き付けすぎると、その把手が支点となって、二つの包装体の下端側が離間するように外側に広がってしまうため（二つの包装体が把手を屈曲点とする逆Ｖ字状となってしまうため）、持ち運びが困難になるし、包装体の角が足に当たってしまい、痛みや不快感を生ずる場合がある。このような不具合は、片手で複数の包装体の把手を同時に掴む場合のみならず、包装体の把手と買い物袋の把手とを片手で同時に掴む場合にも生じ得る。
【００１９】
これに対し、本考案の第１の実施形態（第１の包装体）は、把手又は把手形成体が、包装体の上面における一の端縁に沿って配置されている。従って、二つの包装体を片手で同時に掴む場合であっても、把手が形成された端縁同士が接触するように二つの包装体を並列させることによって、把手同士の間隔を狭めることができ、二つの把手を容易に掴むことが可能となる。このような包装体では把手を掴む際に過度に強い力を加える必要もないので、手指に痛みや不快感を生じることは少ないし、二つの包装体の下端側が離間するように外側に広がってしまい、持ち運びが困難となったり、包装体の角が足に当たって痛みや不快感を生じたりすることも少ない。
【００２０】
運搬用の把手は持ち運びの際の便宜のため、包装体の「上面側」に配置される。「上面側」とは、把手の少なくとも一部が包装体の上面から突出させ得るものである限り、本考案の範囲に含まれる趣旨である。即ち、把手が包装体の上面に配置されたものに限らず、側面に配置されたもの（例えば、側面に把手を付設したようなもの等）であってもよい。
【００２１】
「一の端縁に沿って」とは、包装体の上面の形状に拘らず（包装体の上面が多角形状でなくとも）、その一つの端縁（へり）に沿って配置されていればよいことを意味する。例えば、ロール状薄葉紙の包装体では、ロールの外形に起因して、包装体の上面が完全な四角形状とはならず、角部が丸くなることもあるが、その外縁（へり）の部分に沿って把手が配置されていれば、本考案の範囲に含まれる。
【００２２】
また、本明細書において「一の端縁に沿って配置」というときは、包装体上面の中央部から一の端縁側にずらして把手を配置した形態の全てを含むものとする。具体的な形態としては、（１）一の端縁と接するように把手を配置する、（２）一の端縁と接してはいないが、一の端縁に平行するように把手を配置する、等の形態を挙げることができる。例えば、図１に示す包装体１は、一の端縁Ｌと接するように把手８を配置した例であり、図４に示す包装体１２０は、一の端縁Ｌと接してはいないが、一の端縁Ｌに平行するように把手８を配置した例である。
【００２３】
本考案のような包装体は、被包装体の形状にもよるがその上面が略長方形状に形成される場合が多い。この場合、例えば、図５に示す包装体１３０のように、その短辺Ｌｂに沿って（図示の例では短辺Ｌｂと接するように）、把手８（又は把手形成体）が配置されていても、本考案の効果を得ることができるが、その長辺Ｌａに接するように、把手８（又は把手形成体）が配置されていることが好ましい。
【００２４】
例えば、図１に示す包装体１は、その長辺Ｌａに接するように、把手８が配置された例である。このような包装体は、把手が包装体上面の長辺に接するように配置されているため、二つの包装体を片手で掴む場合に、二つの把手の間隔がなくなることになり、二つの把手を極めて容易に掴むことが可能となる。また、二つの包装体を持ち運ぶ際に、包装体の短辺方向に二つの包装体が並列することになるため、二つの包装体全体としてはコンパクトで嵩張らない状態で運搬することができる。
【００２５】
［２］本考案の第２の実施形態（第２の包装体）：
本考案の第２の実施形態（第２の包装体）は、樹脂フィルムにより、複数の被包装体が一体的に包装された包装体であって、その上面に、運搬用の把手又は前記把手を形成し得る把手形成体を備え、前記把手又は前記把手形成体部が、包装体の上面における一の隅部を通過するように配置されている包装体である。
【００２６】
例えば、図６に示す包装体１４０は、カートン入りティシュペーパー（ティシュカートン）を被包装体とした場合の例であり、樹脂フィルム４により、鉛直方向に積重された５個の被包装体２が一体的に包装され、その上面６に運搬用の把手８を備えている。そして、その把手８が、包装体１４０の上面６における一の隅部Ｃを通過するように配置されている。
【００２７】
本考案の第２の実施形態（第２の包装体）は、把手又は把手形成体が、包装体の上面における一の隅部を通過するように配置されている。従って、二つの包装体を片手で同時に掴む場合であっても、把手が通過する隅部同士を接触させるように二つの包装体を並列させることによって、把手同士の間隔を狭めることができ、二つの把手を容易に掴むことが可能となる。このような包装体も第１の包装体と同様に、把手を掴む際に過度に強い力を加える必要がないので、手指に痛みや不快感を生じることは少ないし、二つの包装体の下端側が離間するように外側に広がってしまい、持ち運びが困難となったり、包装体の角が足に当たって痛みや不快感を生じたりすることも少ない。
【００２８】
「隅部」とは、包装体の上面の形状に拘らず（包装体の上面が多角形状でなくとも）、その一つの隅（コーナー）であればよいことを意味する。例えば、ロール状薄葉紙の包装体では、ロールの外形に起因して、包装体の上面が完全な四角形状とはならず、隅部が丸くなることもあるが、その丸くなった隅部を通過するように把手が配置されていれば、本考案の範囲に含まれる。
【００２９】
「一の隅部を通過するように」とは、把手が少なくとも一の隅部を通過することが必要であることを意味し、具体的な形態としては、（１）一の隅部と他の隅部を通過するように把手を配置する、（２）一の隅部と一の端縁を通過するように把手を配置する、等の形態を挙げることができる。例えば、図６に示す包装体１４０は、一の隅部Ｃ（Ｃａ）と他の隅部Ｃ（Ｃｂ）を通過するように把手８を配置した例であり、図７に示す包装体１５０は、一の隅部Ｃ（Ｃａ）と一の端縁Ｌとを通過するように把手８を配置した例である。
【００３０】
なお、本考案の第１の実施形態（第１の包装体）の例である、図１に示す包装体１、図５に示す包装体１３０も、その上面６における一の隅部を通過するように把手８が配置されている。即ち、図１に示す包装体１、図５に示す包装体１３０は、第１の実施形態（第１の包装体）と第２の実施形態の双方に包含される例であるといえる。
【００３１】
本考案のような包装体は、被包装体の形状にもよるがその上面が略長方形状に形成される場合が多い。この場合、その短辺に接するように、把手又は把手形成体が配置されていても、本考案の効果を得ることができるが、例えば、図６に示す包装体１４０のように、その対角線に沿って、把手８（又は把手形成体）が配置されていることが好ましい。このような包装体は、包装体上面において、一の隅部のみならず、二つの隅部を通過するように把手が配置されていることになる。従って、二つの包装体を並列させる際に、いずれの隅部を接触させるように並列しても、同様の効果を得ることができるという利点がある。
【００３２】
［３］第１の実施形態と第２の実施形態に共通する構成：
包装体を構成する「樹脂フィルム」の材質について特に制限はなく、通常、包装袋に使用されるポリエチレン、ポリプロピレン等の樹脂を用いることができる。中でも、延伸性や強度の面で、ポリエチレンが好ましい。フィルムの厚さは、被包装体の種類や重量によっても異なるが、ティシュカートンを被包装体とする場合には、フィルムの厚さを１０〜３５μｍとすることが好ましい。また、トイレットペーパーのようなロール状薄葉紙の包装にはガセットチューブが利用されることが多い。この場合には、フィルムの厚さを５０〜１１０μｍとすることが好ましく、６５〜９０μｍとすることが更に好ましい。
【００３３】
「被包装体」についても特に制限はないが、本考案の包装体は、（１）嵩が大きい（嵩張る）、（２）重量が大きい（重い）等の理由によって、持ち運びが困難な製品を被包装体とした場合に特にその効果が発揮される。従って、「被包装体」の例としては、使い捨て紙製品、より具体的には、ロール状薄葉紙（トイレットペーパー、キッチンペーパー、タオルペーパー、クッキングシート等）、カートン入り薄葉紙（ティシュペーパー等）、生理用ナプキン、使い捨ておむつ等を挙げることができる。
【００３４】
「把手」は、包装体を持ち運び可能である限り、形状や構造の制限はない。少なくとも包装体に手指を差し入れることが可能な開口部ないし空間を形成し得る部材は、本明細書にいう「把手」に含まれる。例えば、図１に示す包装体１は、帯状の把手８を備えたものである。この場合であれば、帯状の把手８と包装体１の上面６との間に手指を差し入れることが可能な空間が形成される。
【００３５】
また、「把手」は、包装体を構成する樹脂フィルムと一体的に形成されたものであってもよいし、包装体を構成する樹脂フィルムとは別の部材を付設したものであってもよい。例えば、手提げ袋の吊り手のようなものを「把手」として付設してもよい。
【００３６】
本考案の包装体においては、上記のような「把手」に代えて、「把手形成体」を備えたものであってもよい。「把手形成体」とは、そのままの状態では把手として機能しないが、何らかの操作を加える（例えば、ミシン目を破断する等）ことによって、把手を形成することが可能な部材、即ち、把手の前駆体となり得る部材を意味する。
【００３７】
例えば、図８に示す包装体１６０は、ガセットチューブ１０を利用した包装体であり、その上端縁１２に位置するフラップ部１４に、形成すべき把手の形状に沿って、複数の切れ目１８が断続的に配置されたものである。このような包装体は、そのままの状態では把手として機能する部分を備えていないが、複数の切れ目１８の近傍部分に手指を押し込んで、断続的に配置された切れ目１８の間の部分（不連続部２０）を切断することにより把手８を形成することができる。即ち、フラップ部１４が把手を形成し得る把手形成体２２となっている例である。
【００３８】
図８に示す包装体１６０は、比較的長い切れ目１８の間を短い直線状の不連続部２０で連結させた構成の把手形成体２２の例であるが、比較的長い切れ目の間を点状の不連続部で連結させたもの、或いは複数の切れ目が破線状に配置されてミシン目となっているものも同様の効果を奏するため、本明細書にいう「把手形成体」に含まれる。
【００３９】
また、図８に示す包装体１６０は、包装体１６０を構成する樹脂フィルム４（即ち、ガセットチューブ１０）の一部を把手形成体２２とした例であるが、包装体を構成する樹脂フィルムとは別部材である把手形成体を付設したものであってもよい。例えば、ミシン目を破断すると、手提げ袋の吊り手のようなものが形成されるフィルム状部材を用意し、これを把手形成体として、包装体を構成する樹脂フィルムに貼着させておいてもよい。
【００４０】
なお、本考案の包装体には、包装体を開封して被包装体を取り出すためのミシン目を形成してもよい。このようなミシン目を形成することにより、比較的簡便に、力を要することなく内容物である被包装体を取り出すことができる。ミシン目の形成位置は特に限定されるものではなく、被包装体の取出しが容易となる位置に形成すればよい。例えば、図８に示す包装体１６０は、包装体１６０の正面側の傾斜面から前面にかけてミシン目２４を形成した例である。この例では、ミシン目２４が全体として波型となるように配置されている。
【００４１】
［３］包装体の製造方法：
本考案の包装体は、従来公知の包装体の製造方法に準じて製造することができる。図１、図４〜図７に示す包装体１，１２０，１３０，１４０，１５０は、複数の被包装体２がキャラメル包装された包装体の例であるが、このような包装体の場合には、例えば、複数の被包装体２を樹脂フィルム４によりキャラメル包装した後、所望の位置に帯状の把手８を包装体の上面６に固着させることにより製造することができる。把手を固着させる方法としては、例えば、ヒートシール、超音波溶着、接着剤による接着等の従来公知の方法を用いればよい。
【００４２】
また、図８の包装体１６０は、ガセットチューブ１０を利用した包装体の例であるが、このような包装体の場合には、例えば、以下のような方法により製造することができる。
【００４３】
まず、図９に示すような、両側縁３０，３２に襠部３４，３６が形成されたガセットチューブ１０を用意する。次いで、このガセットチューブ１０の一方の端縁開口（図９では上端縁１２側の開口）をヒートシールによって封着し、下端縁３８側が開放された袋状とする。封着は、ガセットチューブ１０の上端縁１２に沿って、直線状の２箇所の封着部４０，４２を形成することにより行う。この２箇所の封着部４０，４２の間がフラップ部１４となる。
【００４４】
更に、フラップ部１４に、把手の形状に沿って、複数の切れ目１８を断続的に配置し、フラップ部１４を把手形成体２２とする。切れ目１８は、所望の形状を有するカッターで打ち抜くことにより形成することができる。更にまた、ガセットチューブ１０の一部に、被包装体取り出し用のミシン目２４を形成する。そして、把手形成体２２が包装体の一方の端縁に位置するようにフラップ部１４及びガセットチューブ１０を折り寄せて固定する（図示の例では図面奥側に折り寄せて固定する）。
【００４５】
最後に、このガセットチューブ１０の下端縁３８側の開口から、被包装体４４（例えば、折り畳まれた使い捨ておむつの束等）を挿入し、下端縁３８側の開口をヒートシールによって封着して、上端縁１２側と同様に封着部を形成することにより、図８に示すような包装体１６０を製造することができる。
【産業上の利用可能性】
【００４６】
本考案の包装体は、（１）嵩が大きい（嵩張る）、（２）重量が大きい（重い）等の理由によって、持ち運びが困難な製品を被包装体とする包装体、例えば、ロール状薄葉紙（トイレットペーパー、キッチンペーパー、タオルペーパー、クッキングシート等）、カートン入り薄葉紙（ティシュペーパー等）、生理用ナプキン、使い捨ておむつ等の使い捨て紙製品を被包装体とする包装体として特に好適に用いることができる。
【図面の簡単な説明】
【００４７】
【図１】本考案の包装体の一の実施形態を示す斜視図である。
【図２】従来の包装体の一の実施形態を示す斜視図である。
【図３】従来の包装体の別の実施形態を示す斜視図である。
【図４】本考案の包装体の別の実施形態を示す斜視図である。
【図５】本考案の包装体の更に別の実施形態を示す斜視図である。
【図６】本考案の包装体の更にまた別の実施形態を示す斜視図である。
【図７】本考案の包装体の別の実施形態を示す斜視図である。
【図８】本考案の包装体の更に別の実施形態を示す斜視図である。
【図９】図８に示す包装体を製造する工程を示す工程図である。
【符号の説明】
【００４８】
１，１００，１１０，１２０，１３０，１４０，１５０，１６０：包装体、２：被包装体、４：樹脂フィルム、６：上面、８：把手、１０：ガセットチューブ、１２：上端縁、１４：フラップ部、１６：開口部、１８：切れ目、２０：不連続部、２２：把手形成体、２４：ミシン目、３０，３２：側縁、３４，３６：襠部、３８：下端縁、４０，４２：封着部、４４：被包装体、Ｌ：端縁、Ｌａ：長辺、Ｌｂ：短辺、Ｃ，Ｃａ，Ｃｂ：隅部。
【図１】
0003124811.tif 000003
【図２】
0003124811.tif 000004
【図３】
0003124811.tif 000005
【図４】
0003124811.tif 000006
【図５】
0003124811.tif 000007
【図６】
0003124811.tif 000008
【図７】
0003124811.tif 000009
【図８】
0003124811.tif 000010
【図９】
0003124811.tif 000011